(57)【特許請求の範囲】
【請求項１】
引出し側壁（６）と実質的に直線的な壁部（９）とを含んだ引出し（７）であって、
前記壁部（９）は、第１壁要素（４）と、少なくとも１つの第２壁要素（５）とを含み、前記第１壁要素（４）と前記第２壁要素（５）とは固定装置によって一体に接続可能であり、
前記第１壁要素（４）は、引出し側壁（６）の解放可能な掛留装置（２０）に掛留できる保持部（１０）を有し、
前記固定装置は少なくとも１つのグリップ要素（１１）と拘束要素（１２）とを有しており、この拘束要素（１２）は、２つの前記壁要素（４、５）を互いに対して位置取りがなされた後に固定可能であるように、前記グリップ要素（１１）によって解放および拘束することができることを特徴とする引出し。
【請求項２】
前記グリップ要素（１１）と前記拘束要素（１２）とはクランプ具の一部であることを特徴とする請求項１に記載の引出し。
【請求項３】
前記グリップ要素（１１）は少なくとも１つの回動式に取り付けられたレバーを有しており、前記レバーによって前記第２壁要素（５）が前記第１壁要素（４）に対して締付式に固定されることを特徴とする請求項１または２に記載の引出し。
【請求項４】
前記拘束要素（１２）は２つの締付部分（１２ａ、１２ｂ）を含んでおり、該締付部分（１２ａ、１２ｂ）は、前記第２壁要素（５）が固定されるように、前記グリップ要素（１１）の作用によって締付位置に移動可能であることを特徴とする請求項１から３のいずれか一項に記載の引出し。
【請求項５】
前記拘束位置にある前記グリップ要素（１１）は締付部分（１２ａ、１２ｂ）と実質的に同一の平面内にあることを特徴とする請求項４に記載の引出し。
【請求項６】
前記第２壁要素（５）は少なくとも１つのガイド通路（１３）を有しており、前記拘束要素（１２）は前記ガイド通路（１３）内に導入されて締付られることを特徴とする請求項１から５のいずれかに記載の引出し。
【請求項７】
前記第２壁要素（５）は実質的に方形であることを特徴とする請求項１から６のいずれか一項に記載の引出し。
【請求項８】
各ガイド通路（１３）は前記第２壁要素（５）の方形部分の上方および下方の長辺縁部に提供または配置されていることを特徴とする請求項７に記載の引出し。
【請求項９】
前記第２壁要素（５）は長肢部（１４ａ）と、そこから延び出ている少なくとも１つの短肢部（１４ｂ）とを有していることを特徴とする請求項１から８のいずれか一項に記載の引出し。
【請求項１０】
前記拘束要素（１２）は、前記第１壁要素（４）と前記短肢部（１４ｂ）との間で作動することを特徴とする請求項９に記載の引出し。
【請求項１１】
前記拘束要素（１２）は、グリップ要素（１１ａ、１１ｂ）の取付部（１７）に対して可動式に取り付けられた平坦な締付肢部（１２ｃ）を有しており、位置取りがなされた後に、前記グリップ要素（１１ａ、１１ｂ）の作用によって前記締付肢部（１２ｃ）が前記第２壁要素（５）に押し付けられることを特徴とする請求項１から１０のいずれか一項に記載の引出し。
【請求項１２】
前記グリップ要素（１１ａ、１１ｂ）は、少なくとも１つの偏心レバーを有していることを特徴とする請求項１１に記載の引出し。
【請求項１３】
取り付け位置では、前記保持部（１０）は前記第１壁要素（４）の後側から横方向に延び出ていることを特徴とする請求項１から１２のいずれか一項に記載の引出し。
【請求項１４】
前記引出し側壁（６）の前記解放可能な掛留装置（２０）は、バネの作用で前記保持部（１０）が挿入されると該保持部（１０）を自動的に掛留めする留受部（２０ａ）を有していることを特徴とする請求項１から１３のいずれか一項に記載の引出し。
【請求項１５】
請求項１から１４のいずれか一項に記載の引出しを含む家具。
【発明の詳細な説明】
【技術分野】
【０００１】
本発明は引出し側壁と実質的に直線的な壁部とを含んだ引出しに関する。その壁部は第１壁要素と、少なくとも１つの第２壁要素とを含んでおり、第１壁要素と第２壁要素は固定装置によって接続できる。
【０００２】
本発明は以下で説明する引出しを有する家具にも関する。
【背景技術】
【０００３】
２つの壁要素を接続するための固定装置は、特許文献１（ＷＯ０３/０２４２７４Ａ１）などで解説されているものが知られている。そこでは引出しの受領容積を増大させるためのフレーム取付部材が提供されており、この部材は端部にてポケット型ホルダに挿入でき、引出し取付部材は弾性舌状部によって取付位置に保持されている。このような構成の弱点は弾性舌状部が容易に脱離する危険があり、壁要素も確実に保持する保障がないことである。加えて、従来の固定装置は壁要素に作用力を常時適用する。さらに壁要素の限定された選択部分のみをその場に固定でき、その固定部分の大きさはポケット型ホルダの形状やサイズによって予め決定されている。
【先行技術文献】
【特許文献】
【０００４】
【特許文献１】国際公開公報ＷＯ０３/０２４２７４Ａ１号
【発明の概要】
【発明が解決しようとする課題】
【０００５】
本発明の目的の一つは、非常に複雑な形状の引出し壁要素でも確実に固定しつつ、固定壁要素を容易に解放できる固定装置の提供することにある。
【課題を解決するための手段】
【０００６】
本発明に従えば、位置取りが相対的に実行された後に２つの壁要素が固定できるよう、第１壁要素に、引出し側壁の解放可能な掛留装置へと掛留できる保持部分を持たせ、固定装置に少なくとも１つのグリップ要素とグリップ要素によって解放および拘束できる１つの拘束要素とを持たせるように構成することでこの目的は達成できる。壁部分全体は引出しフレームへ掛留できる保持部分によって引出し側壁との安定した位置関係に固定できる。
【０００７】
このようにして第１取付ステップでは、２つの壁要素の相対位置を互いに確立させることが可能であり、それによってその後の取付ステップで予備的に配置された壁要素が相対的位置に固定され、固定作業が手だけ（すなわち工具を使用せずに）で実行できる。
【０００８】
本発明の好ましい一実施態様ではグリップ要素と拘束要素は共調的にクランプ具を形成する。締付作用のために提供された拘束要素は第２壁要素に対して押し付け可能な１以上の平坦接触面を有する。このようにして締付力は締付位置内の拡張された表面積に配分され、それによって締付力の集中を防止することが可能である。よってガラスパネルなどの脆弱な壁要素でさえも確実に固定できる。
【０００９】
例えば第２壁要素は石材製、木材製、プラスチック材料製または金属製の実質的にパネル形態の装飾挿入具の形態でもよい。本発明の固定装置のおかげで、魅力的な外観を付与するため壁要素に実質的に穴が存在しないように、壁要素に固定穴を設ける必要もない。
【００１０】
本発明によれば、第２壁要素は引出しレールアセンブリ（組立体）を含んでいる。本発明の一実施態様では引出しレールアセンブリに１本の長形肢部と、そこから延び出ている少なくとも１本の短形肢部とを持たせている。このようにして、拘束要素を第１壁要素と引出しレールアセンブリの短形肢部との間で作用させることができる。
【００１１】
一実施形態では、第１壁要素は引出し側壁と共調的に中央取付及び保持要素として提供され、引出し側壁内で解放可能な掛留接続具へ掛留（ラッチ）できる。好適には横方向に延び出た保持部分を有することができる。この目的のために引出し側壁の解放可能な掛留（ラッチ）接続具は、保持部分を引出し側壁へ挿入すると、バネの作用で自動的に掛留める留受部を含んでいる。そのような接続具の作動の基本形態は、本出願人によるＥＰ０７４０９１７Ｂ１で解説されており、引出しのフロントパネルは双壁型引出し側壁に対して掛留できる。
【００１２】
第１壁要素が第３壁要素のための少なくとも１つの別の保持装置を有するように構成可能である。原則的に本発明の固定装置は引出しの側部、フロントパネル、内側延入型の引出しのフロント壁部、及び、引出し後方壁を固定できる。装飾例えば（透明）挿入具を引出し底部に固定することも可能である。
【００１３】
本発明による家具は前述のタイプの引出しを特徴とする。
【００１４】
以下において、本発明の詳細や利点を図面と関連させて詳細に説明する。
【図面の簡単な説明】
【００１５】
【図１】キャビネット型の家具の斜視図であり、第２壁要素は内側に延びる引出しの前壁の一部の形態となっている。
【図２】固定されていない前壁を備えた内側に延びる引出し型の引出しを図示している。
【図３】部分的に組立てられた壁部の後方の斜視図。
【図４】締め付け固定された壁要素を備えた完全に組み立てられた状態の壁部を図示している。
【図５ａ】第１壁要素を図示している。
【図５ｂ】グリップ要素および拘束要素の詳細図。
【図５ｃ】グリップ要素および拘束要素の詳細図。
【図５ｄ】グリップ要素および拘束要素の詳細図。
【図５ｅ】グリップ要素および拘束要素の組み立てられた状態の断面図。
【図６ａ】固定対象の引出しレールアセンブリを備えた本発明の別実施例およびその拡大詳細図。
【図６ｂ】図６ａの拡大詳細図。
【図７】図６ａと図６ｂの固定装置の分解図。
【図８】図６ａと図６ｂおよび図７の第１壁要素の斜視図。
【発明を実施するための形態】
【００１６】
図１は、家具枠体２に対して移動できる引出し３ａと引出し３ｂとを備えた家具枠体２を有するキャビネット型の家具１の斜視図である。閉位置では２体の引出し３ａと引出し３ｂの前パネルは家具枠体２の前面に接している。この図で重要なものは内側に延びる引出し型の中央引出し７である。引出し７は側壁６を含んでおり、引出し７の前壁は第１壁要素４とそれらの間の第２壁要素５とで構成されている。それらで構成された前壁は家具枠体２の２体の側壁間において閉位置にて設置されている。引出し３ｂは閉位置にて引出し７を遮蔽するように上方に延伸する前パネルを有する。
【００１７】
図２は、内側に延びる引出し型の図１の引出し７を図示している。従来の形態と同様に引出し７は引出し側壁６、引出し後壁８ａ及び引出し底部８ｂを含んでいる。この図は前壁の形態で、両側の２体の第１壁要素４とそれらの間の第２壁要素５とで構成されている未固定の壁部９も示している。組み立てられた壁部９は実質的に直線的に延伸している。すなわち第１壁要素４と第２壁要素５の壁面は実質的に同一の平面である。第１壁要素４は、引出し側壁６に関連する解放可能な掛留（ラッチ）装置２０へと掛留できる後方保持部１０をそれぞれ有している。この作用は従来技術であるバネ搭載留受部２０ａによって提供され、これによって横方向に延び出る保持部１０は双壁型引出し側壁６の内側へと引かれることができ、これによって壁部９は両引出し側壁６に対して位置的に安定した関係に保たれる。このような接続固定は本出願人のＥＰ０７４０９１７Ｂ１などで解説されており、ここでは詳説しない。
【００１８】
図３は図２の壁部９の後方の斜視図であり、第１壁要素４は第２壁要素５から離脱している状態であり、そして別の第１壁要素４が予備配置されているが拘束されてはいない状態が図示されている。第１壁要素４は図２との関連で説明した引出し側壁６への接続のための保持部１０をそれぞれ有している。さらに第１壁要素４には、回動式に取り付けられたレバー型の２つのグリップ要素１１と、上方および下方拘束要素１２がそれぞれ提供されている。拘束要素１２は、広がることができる締付（クランプ）部分１２ａと１２ｂをそれぞれ有しており、それらは、締付部分１２ａと１２ｂとの間に形成された中央空間部にグリップ要素１１を押し入れることで横方向に広がることができる。固定対象の第２壁要素５はガイド通路１３を両縦縁部に有している。ガイド通路１３は第１壁要素５の加工された縁体によって形成されている。従って、締付部分１２ａと１２ｂはガイド通路１３に横方向にそれぞれ挿入され、締付部分１２ａと１２ｂはグリップ要素１１の向きを変えることによってガイド通路１３内で横方向に広がることができ、よって締付部分１２ａと１２ｂのためにガイド通路１２内での締付接続を提供している。
【００１９】
図４は２体の横方向の第１壁要素４に締付式に接続された第２壁要素５を備えた壁部９を図示している。拘束位置にあるグリップ要素１１は締付部分１２ａと１２ｂと実質的に共通の平面に配置されている。
【００２０】
図５ａは第１壁要素４の後方斜視図である。２体の締付部分１２ａと１２ｂとを備えた拘束装置１２は回動式に取り付けられたグリップ要素１１によって横方向に広がることができる。図５ｂと図５ｃは解放位置にあるグリップ要素１１を図示している。締付部分１２ａと１２ｂはグリップ要素１１によって双頭矢印Ｘで示す方向に広がることができる。図５ｄでは、グリップ要素１１の拘束位置が図示されている。レバー型のグリップ要素１１は２つの締付部分１２ａと１２ｂよりも幾分長く、拘束作用を解放するためのハンドルを形成している。図５ｅは、第２壁要素５に対して取り付け状態にある締付部分１２ａ及び１２ｂの縦断面を図示しており、２つの締付部分１２ａと１２ｂとはグリップ要素１１によってガイド通路１３内で互いに引き離されている。
【００２１】
図６ａは本発明の別実施例を示しており、一方、図６ｂは図６ａの丸で囲んだ領域の拡大詳細図である。図示の実施例では、第２壁要素５は長肢部１４ａとそこから直角下方に延び出た２本の短肢部１４ｂとを有する引出しレールアセンブリの形態である。引出しレールアセンブリの両端領域には、前述の方法で引出し７の横方向の引出し側壁６にそれぞれ掛留できる第１壁要素４が配置されている。この実施例では両側の第１壁要素４はグリップ要素１１と１１ｂとをそれぞれ有しており、これらによって平坦な締付肢部１２ｃの形態である拘束要素１２が拘束される。この場合、短肢部１４ｂは第１壁要素４の後方側と平坦拘束要素１２との間で締付けられる。さらに、第１壁要素４上の保持装置１６で保持されている第３壁要素１５が存在する。保持装置１６は、第３壁要素１５のガイド通路へ横方向に挿入できる２つの挿入ピンを含んでいる（図６ａの右側に図示）。図６ｂは回動式に取り付けられた２つのグリップ要素１１ａと１１ｂを備えた装置を拡大スケールで詳細に図示しており、それによって平坦締付肢部１２ｃの形態である拘束要素１２が作用を受ける。このようにして、短肢部１４ｂは第１壁要素４の後側と締付肢部１２ｃとの間に締め付けられている。
【００２２】
図７は第１壁要素４の部分分解図である。拘束要素１２は、グリップ要素１１ａ及び１１ｂの固定取付部１７に対して可動式に、好適にはスライド式に取り付けられた平坦締付肢部１２ｃを有するヘアピン型形状を含んでおり、締付肢部１２ｃの配置後、短肢部１４ｂの外面に押し付け可能である（図６ｂ参照）。取付部１７はその両端領域で第１壁要素４の内側にしっかりと固定されており、拘束要素１２は取付部１７の形成された架橋部の下側に移動可能に取り付けられている。第１取付ステップでは、締付肢部１２ｃが引出しレールアセンブリの短肢部１４ｂに押し付けられ、次の取付ステップで、グリップ要素１１ａ及び１１ｂのカム状の突起１８が締付肢部１２ｃを引出しレールアセンブリの短肢部１４ｂに押し付けるように、２つのグリップ要素１１ａ及び１１ｂが旋回される。第３壁要素１５（図６ａ）のガイド通路に押し付けられる挿入ピンを備えた保持装置１６も図示されている。保持要素１６はネジを通すための開口穴１６ａを含んでいる。ネジは第３壁要素１５へ挿入ピンの自由端方向に横方向に螺合される。
【００２３】
図８は、保持部１０によって引出し側壁６（図２）に掛留可能である第１壁要素４を図示している。さらに第１壁要素４には保持装置１６が設けられ、そのピンを第３壁要素１５のガイド通路１９に挿入できる。加えて、第３壁要素１５は開口穴１６ａを通るネジによって固定できる。第２壁要素５（ここでは図示しないが、図６に示す引出しレールアセンブリでよく、プラスチック製、ガラス製、木製、石材製などのフレーム状またはパネル状の部分）を締付固定するために、解放位置で双頭矢印Ｙの方向に移動可能に取り付けられた締付肢部１２ｃを有する拘束要素１２が存在する。このように平坦締付肢部１２ｃは固定対象の第２壁要素５上にスライドできる。配置が実行された後、２つのグリップ要素１１ａ及び１１ｂは、締付肢部１２ｃが固定対象の第２壁要素に押し付けられるように、水平軸周囲で旋回される。
【００２４】
本発明は前述の実施例に限定されず、「請求の範囲」内の全ての変形や技術的均等物も含み、またはカバーしている。説明で使用されている位置的表現（上、下、横など）は使用部材の設置の一般的位置に関連しており、位置の変化によって適宜転位されるべきものである。グリップ要素１１ａと１１ｂとを備えた固定具および拘束要素１２は全体的に金属製でよく、その場合、脆いガラス製の壁要素が問題なく固定されるように、弾性的に撓む支持手段（プラスチック材料など）を拘束要素１２と第２壁要素との間に配置することができる。
【図１】
0005607549.tif 000002
【図２】
0005607549.tif 000003
【図３】
0005607549.tif 000004
【図４】
0005607549.tif 000005
【図５ａ】
0005607549.tif 000006
【図５ｂ】
0005607549.tif 000007
【図５ｃ】
0005607549.tif 000008
【図５ｄ】
0005607549.tif 000009
【図５ｅ】
0005607549.tif 000010
【図６ａ】
0005607549.tif 000011
【図６ｂ】
0005607549.tif 000012
【図７】
0005607549.tif 000013
【図８】
0005607549.tif 000014